(57)【要約】  本発明は、クロス・キャリア・スケジューリングの場合のＥＰＤＣＣＨのＥＣＣＥユーザ機器特有探索空間を決定する方法、およびそのための装置を提供する。本発明の一実施形態によれば、この方法は、同時にスケジューリングできるキャリアの総数ＮＣＩおよびキャリア・インジケータｎＣＩに少なくとも従って、各アグリゲーション・レベルにおける探索空間の候補間の距離を決定することであって、キャリア・インジケータｎＣＩが、同時にスケジューリングできるＮＣＩ個のキャリアのうちのそれぞれのキャリアを示すものであること、ならびに、決定された距離に少なくとも従って、割り振られたＥＣＣＥ中での、各アグリゲーション・レベルにおける探索空間の候補の位置を決定することを含む。本発明によれば、クロス・キャリア・スケジューリングの状況で、各アグリゲーション・レベルにおける探索空間の候補を、割り振られたＥＣＣＥ中で一様に位置付けることができ、単一のユーザ機器に対して、異なる複数のキャリアを介したデータに対応するあるキャリアを介した制御情報が、間隔を空けられて異なる複数の候補を使用することができる。
2016507189.tif 000002
【特許請求の範囲】
【請求項１】
クロス・キャリア・スケジューリングの場合のＥＰＤＣＣＨのＥＣＣＥユーザ機器特有探索空間を決定する方法であって、
Ａ．同時にスケジューリングできるキャリアの総数ＮＣＩおよびキャリア・インジケータｎＣＩに少なくとも従って、各アグリゲーション・レベルにおける探索空間の候補間の距離を決定するステップであって、前記キャリア・インジケータｎＣＩが、前記同時にスケジューリングできるＮＣＩ個のキャリアのうちのそれぞれのキャリアを示すものであるステップと、
Ｂ．前記決定された距離に少なくとも従って、割り振られたＥＣＣＥ中での、各アグリゲーション・レベルにおける前記探索空間の前記候補の位置を決定するステップとを含む方法。
【請求項２】
前記ステップＡが、
Ｌ番目のアグリゲーション・レベルにおける探索空間の候補の総数を表す
【数１】
2016507189.tif 000041
と、シーケンス番号ｍと、ユーザ機器についてのｋ番目のサブフレーム中で構成された利用可能なＥＣＣＥの総数ＮＥＣＣＥ，ｋと、同時にスケジューリングできるキャリアの前記総数ＮＣＩと、前記キャリア・インジケータｎＣＩとに従って、各アグリゲーション・レベルにおける前記探索空間の前記候補間の前記距離を決定するステップを含み、前記シーケンス番号
【数２】
2016507189.tif 000042
が、前記
【数３】
2016507189.tif 000043
個の候補間のシーケンス番号を表す、請求項１に記載の方法。
【請求項３】
前記ステップＡで、前記距離が下式において決定され、
【数４】
2016507189.tif 000044
上式で、Ｌが前記アグリゲーション・レベルを表し、ＰＬが、前記Ｌ番目のアグリゲーション・レベルにおける候補間の距離を表す、請求項２に記載の方法。
【請求項４】
前記ステップＢで、各アグリゲーション・レベルにおける前記探索空間の前記候補の前記位置が下式において決定され、
【数５】
2016507189.tif 000045
上式で、
【数６】
2016507189.tif 000046
が、前記Ｌ番目のアグリゲーション・レベルにおける前記探索空間を表し、Ｙｋが、フレームｋと前記ユーザ機器のＲＮＴＩとに基づくハッシュ関数を表し、ｉ＝０，１，２．．．Ｌ−１が、各アグリゲーション・レベルにおけるＥＣＣＥのシーケンス番号を表す、請求項３に記載の方法。
【請求項５】
基地局または前記ユーザ機器によって実施される、請求項１乃至４のいずれか１項に記載の方法。
【請求項６】
クロス・キャリア・スケジューリングの場合のＥＰＤＣＣＨのＥＣＣＥユーザ機器特有探索空間を決定する方法であって、
ａ．各アグリゲーション・レベルにおける探索空間の候補間の距離を決定するステップと、
ｂ．キャリア・インジケータｎＣＩに基づくバイアス・パラメータを使用して、前記決定された距離を修正するステップであって、前記ｎＣＩが、同時にスケジューリングできるＮＣＩ個のキャリアのうちのそれぞれのキャリアを示し、ＮＣＩが、同時にスケジューリングできるキャリアの総数を表すものであるステップと、
ｃ．前記修正された距離に少なくとも従って、割り振られたＥＣＣＥ中での、各アグリゲーション・レベルにおける前記探索空間の前記候補の位置を決定するステップとを含む方法。
【請求項７】
前記ステップａで、前記距離が下式において決定され、
【数７】
2016507189.tif 000047
上式で、Ｌが前記アグリゲーション・レベルを表し、ＰＬが、前記Ｌ番目のアグリゲーション・レベルにおける候補間の距離を表し、ＮＥＣＣＥ，ｋが、ユーザ機器についてのｋ番目のサブフレーム中で構成された利用可能なＥＣＣＥの総数を表し、
【数８】
2016507189.tif 000048
が、前記Ｌ番目のアグリゲーション・レベルにおける前記探索空間の候補の総数を表し、
【数９】
2016507189.tif 000049
が、前記
【数１０】
2016507189.tif 000050
個の候補間のシーケンス番号を表す、請求項６に記載の方法。
【請求項８】
前記ステップｂで、前記決定された距離が、前記バイアス・パラメータを前記決定された距離に加えることによって修正され、前記バイアス・パラメータが前記キャリア・インジケータｎＣＩである、請求項６または７に記載の方法。
【請求項９】
前記ステップｃで、各アグリゲーション・レベルにおける前記探索空間の前記候補の前記位置が下式において決定され、
【数１１】
2016507189.tif 000051
上式で、
【数１２】
2016507189.tif 000052
が、前記Ｌ番目のアグリゲーション・レベルにおける前記探索空間を表し、Ｙｋが、フレームｋと前記ユーザ機器のＲＮＴＩとに基づくハッシュ関数を表し、ｉ＝０，１，２．．．Ｌ−１が、各アグリゲーション・レベルにおけるＥＣＣＥのシーケンス番号を表す、請求項８に記載の方法。
【請求項１０】
基地局または前記ユーザ機器によって実施される、請求項６に記載の方法。
【請求項１１】
クロス・キャリア・スケジューリングの場合のＥＰＤＣＣＨのＥＣＣＥユーザ機器特有探索空間を決定するための装置であって、
同時にスケジューリングできるキャリアの総数ＮＣＩおよびキャリア・インジケータｎＣＩに少なくとも従って、各アグリゲーション・レベルにおける探索空間の候補間の距離を決定するように構成された第１の決定ユニットであって、前記キャリア・インジケータｎＣＩが、前記同時にスケジューリングできるＮＣＩ個のキャリアのうちのそれぞれのキャリアを示す、第１の決定ユニットと、
前記決定された距離に少なくとも従って、割り振られたＥＣＣＥ中での、各アグリゲーション・レベルにおける前記探索空間の前記候補の位置を決定するように構成された第２の決定ユニットとを備える装置。
【請求項１２】
クロス・キャリア・スケジューリングの場合のＥＰＤＣＣＨのＥＣＣＥユーザ機器特有探索空間を決定するための装置であって、
各アグリゲーション・レベルにおける探索空間の候補間の距離を決定するように構成された第３の決定ユニットと、
キャリア・インジケータｎＣＩに基づくバイアス・パラメータを使用して、前記決定された距離を修正するように構成された修正ユニットであって、前記ｎＣＩが、同時にスケジューリングできるＮＣＩ個のキャリアのうちのそれぞれのキャリアを示し、ＮＣＩが、同時にスケジューリングできるキャリアの総数を表す、修正ユニットと、
前記修正された距離に少なくとも従って、割り振られたＥＣＣＥ中での、各アグリゲーション・レベルにおける前記探索空間の前記候補の位置を決定するように構成された第４の決定ユニットとを備える装置。
【発明の詳細な説明】
【技術分野】
【０００１】
本開示は、通信システムに関し、特に、クロス・キャリア・スケジューリング（ｃｒｏｓｓ  ｃａｒｒｉｅｒ  ｓｃｈｅｄｕｌｉｎｇ）の場合のＥＰＤＣＣＨのＥＣＣＥユーザ機器特有探索空間を決定する方法、およびそのための装置に関する。
【背景技術】
【０００２】
ＬＴＥアドバンストのリリース１１では、エンハンスト物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）という新しい制御チャネルが、サブフレーム内の１つまたは複数の物理リソース・ブロック（ＰＲＢ、Ｐｈｙｓｉｃａｌ  Ｒｅｓｏｕｒｃｅ  Ｂｌｏｃｋ）対の中で送信されることが決定されている。各ＰＲＢ対は、サブフレーム中の２分の１タイムスロットによって占められる時間領域リソース（すなわち７個のＯＦＤＭシンボル）と、１２個のサブキャリアによって占められる周波数領域リソース（１サブキャリア当たり１５ＫＨｚで総計１８０ｋＨｚになる）とを含む、リソースのブロックである。ＰＲＢ対は、サブフレーム内の２つのタイムスロット中の２つのＰＲＢを含む。
【０００３】
ＥＰＤＣＣＨは、リソース・ユニットとしての、エンハンスト制御チャネル要素（ＥＣＣＥ、Ｅｎｈａｎｃｅｄ  Ｃｏｎｔｒｏｌ  Ｃｈａｎｎｅｌ  Ｅｌｅｍｅｎｔ）の粒度で構成される。ＥＣＣＥは、複数（例えば４個または８個）のエンハンスト・リソース要素グループ（ＥＲＥＧ、Ｅｎｈａｎｃｅｄ  Ｒｅｓｏｕｒｃｅ  Ｅｌｅｍｅｎｔ  Ｇｒｏｕｐ）からなる可能性がある。ＰＲＢ対は、１６個のＥＲＥＧを含む。
【０００４】
ＥＰＤＣＣＨは、局所化されたまたは分散された方式で送信されることが可能である。局所化送信では、ＥＣＣＥは、同じＰＲＢ対のＥＲＥＧにマッピングされる。分散送信では、ＥＣＣＥは、異なるＰＲＢ対のＥＲＥＧにマッピングされる。局所化送信では、周波数領域スケジューリングを介してマルチユーザ利得を得ることができる。分散送信では、周波数ダイバーシティ利得を得ることができる。
【０００５】
種々のアグリゲーション・レベルに従って、ＥＰＤＣＣＨは、種々のアグリゲーション・レベルにおいて、１、２、４、８、および１６個を含めた、１つまたは複数のＥＣＣＥを含む可能性がある。すなわち、ＥＰＤＣＣＨは、１個のＥＣＣＥ、２個のＥＣＣＥ、４個のＥＣＣＥ、８個のＥＣＣＥ、または１６個のＥＣＣＥからなる可能性がある。
【０００６】
異なるＥＣＣＥアグリゲーション・レベルで、対応する候補数、すなわち、同じダウンリンク制御インジケータ（ＤＣＩ、Ｄｏｗｎｌｉｎｋ  Ｃｏｎｔｒｏｌ  Ｉｎｄｉｃａｔｏｒ）フォーマットの最大ブラインド検出数がある。例えば、ユーザ機器特有の探索空間で、アグリゲーション・レベル１では８個の候補があり、アグリゲーション・レベル２では４個の候補があり、アグリゲーション・レベル４では２個の候補があり、アグリゲーション・レベル８では１個の候補がある。
【０００７】
ＲＡＮ１  ＃７１において、局所化送信では、ユーザ機器（ＵＥ）についてのＥＰＤＣＣＨのユーザ機器特有探索空間は、下式において決定される。
【０００８】
【数１】
2016507189.tif 000003
【０００９】
分散送信では、ユーザ機器（ＵＥ）についてのＥＰＤＣＣＨのユーザ機器特有探索空間は、下式において決定される。
【００１０】
【数２】
2016507189.tif 000004
【００１１】
上の両式で、Ｌはアグリゲーション・レベルを表し、ＮＥＣＣＥ，ｋは、ユーザ機器についてのｋ番目のサブフレーム中で構成された利用可能なＥＣＣＥの総数を表し、
【００１２】
【数３】
2016507189.tif 000005
は、Ｌ番目のアグリゲーション・レベルにおける探索空間中の候補の総数を表し、
【００１３】
【数４】
2016507189.tif 000006
は、
【００１４】
【数５】
2016507189.tif 000007
個の候補間のシーケンス番号を表し、Ｙｋは、フレームｋとユーザ機器のＲＮＴＩとに基づくハッシュ関数を表し、ｉ＝０，１，２．．．Ｌ−１は、各アグリゲーション・レベルにおけるＥＣＣＥのシーケンス番号を表す。
【００１５】
クロス・キャリア・スケジューリングでは、複数のキャリアを介するデータが、１つのキャリアを介する制御情報によってスケジューリングされることが可能だが、このクロス・キャリア・スケジューリングの状況で、ＥＰＤＣＣＨに関して上の両式にどのようにキャリア・インジケータｎＣＩを導入するかという問題に対処することが、現在望ましい。ここで、キャリア・インジケータｎＣＩは、同時にスケジューリングできるＮＣＩ個のキャリアのうちのそれぞれのキャリアを示す。
【００１６】
上記の問題に対する直観的な解決法は、キャリア・インジケータｎＣＩが式１および式２に直接に導入されるようにして、それにより、以下のような、局所化送信の場合の式３および分散送信の場合の式４をそれぞれ導出することである。
【００１７】
【数６】
2016507189.tif 000008
【００１８】
【数７】
2016507189.tif 000009
【００１９】
しかし、式３から、新たに導入されたキャリア・インジケータｎＣＩはそれぞれのアグリゲーション・レベルにおける候補の分散に何の影響も有さず、このことは、キャリア・インジケータｎＣＩを式１に導入する元々の意図と対立する。
【発明の概要】
【発明が解決しようとする課題】
【００２０】
従来技術における前述の問題に鑑みて、本発明の目的は、局所化送信の下でのクロス・キャリア・スケジューリングの場合にＥＰＤＣＣＨのＥＣＣＥユーザ機器特有探索空間を決定する方法を提供することである。この方法では、クロス・キャリア・スケジューリングの状況で、各アグリゲーション・レベルにおける探索空間の候補を、割り振られたＥＣＣＥ中で一様に位置付けることができ（すなわち、候補の全てのＥＣＣＥを、割り振られた物理リソース・ブロック（ＰＲＢ）対の間で一様に分散させることができ）、ユーザ機器に対して、異なる複数のキャリアを介したデータに対応するあるキャリアを介した制御情報が、間隔を空けられて異なる複数の候補を使用することができる。
【課題を解決するための手段】
【００２１】
第１の態様によれば、クロス・キャリア・スケジューリングの場合のＥＰＤＣＣＨのＥＣＣＥユーザ機器特有探索空間を決定する方法が提案される。この方法は、Ａ．同時にスケジューリングできるキャリアの総数ＮＣＩおよびキャリア・インジケータｎＣＩに少なくとも従って、各アグリゲーション・レベルにおける探索空間の候補間の距離を決定するステップであって、キャリア・インジケータｎＣＩが、同時にスケジューリングできるＮＣＩ個のキャリアのうちのそれぞれのキャリアを示すものであるステップと、Ｂ．決定された距離に少なくとも従って、割り振られたＥＣＣＥ中での、各アグリゲーション・レベルにおける探索空間の候補の位置を決定するステップとを含む。
【００２２】
第２の態様によれば、クロス・キャリア・スケジューリングの場合のＥＰＤＣＣＨのＥＣＣＥユーザ機器特有探索空間を決定する方法が提案される。この方法は、ａ．各アグリゲーション・レベルにおける探索空間の候補間の距離を決定するステップと、ｂ．キャリア・インジケータｎＣＩに基づくバイアス・パラメータを使用して、決定された距離を修正するステップであって、ｎＣＩが、同時にスケジューリングできるＮＣＩ個のキャリアのうちのそれぞれのキャリアを示し、ＮＣＩが、同時にスケジューリングできるキャリアの総数を表すものであるステップと、ｃ．修正された距離に少なくとも従って、割り振られたＥＣＣＥ中での、各アグリゲーション・レベルにおける探索空間の候補の位置を決定するステップとを含む。
【００２３】
第３の態様によれば、クロス・キャリア・スケジューリングの場合のＥＰＤＣＣＨのＥＣＣＥユーザ機器特有探索空間を決定するための装置が提案される。この装置は、同時にスケジューリングできるキャリアの総数ＮＣＩおよびキャリア・インジケータｎＣＩに少なくとも従って、各アグリゲーション・レベルにおける探索空間の候補間の距離を決定するように構成された第１の決定ユニットであって、キャリア・インジケータｎＣＩが、同時にスケジューリングできるＮＣＩ個のキャリアのうちのそれぞれのキャリアを示す、第１の決定ユニットと、決定された距離に少なくとも従って、割り振られたＥＣＣＥ中での、各アグリゲーション・レベルにおける探索空間の候補の位置を決定するように構成された第２の決定ユニットとを備える。
【００２４】
第４の態様によれば、クロス・キャリア・スケジューリングの場合のＥＰＤＣＣＨのＥＣＣＥユーザ機器特有探索空間を決定するための装置が提案される。この装置は、各アグリゲーション・レベルにおける探索空間の候補間の距離を決定するように構成された第３の決定ユニットと、キャリア・インジケータｎＣＩに基づくバイアス・パラメータを使用して、決定された距離を修正するように構成された修正ユニットであって、ｎＣＩが、同時にスケジューリングできるＮＣＩ個のキャリアのうちのそれぞれのキャリアを示し、ＮＣＩが、同時にスケジューリングできるキャリアの総数を表す、修正ユニットと、修正された距離に少なくとも従って、割り振られたＥＣＣＥ中での、各アグリゲーション・レベルにおける探索空間の候補の位置を決定するように構成された第４の決定ユニットとを備える。
【発明の効果】
【００２５】
本発明により、ＲＡＮ１  ＃７１において導出される探索空間のフレームワークが局所化送信の場合に維持され、異なる複数のキャリアを介したデータに対応するあるキャリアを介した制御情報が、間隔を空けられて異なる複数の候補を使用すること、すなわち異なる複数のＥＣＣＥを使用することができる。よって、異なる複数のキャリアを介して搬送されるデータに対応する制御情報は、実際に使用される周波数帯域リソースにわたって間隔を空けられることが可能である。それにより、同じユーザ機器に対する異なる複数のキャリアのスケジューリングの結果として生じる干渉が回避される。
【００２６】
本発明の他の特徴、目的、および利点は、非限定的な特定の実施形態に関する後続の詳細な記述を図面と共に検討すればより明らかになるであろう。
【図面の簡単な説明】
【００２７】
【図１】本発明の特定の実施形態による方法のフローチャートである。
【図２】本発明の別の特定の実施形態による方法のフローチャートである。
【発明を実施するための形態】
【００２８】
ここでは最初に、「背景技術」で提供した式１について、例として述べる。ここで、上記の式１におけるそれぞれのパラメータを、次のように仮定する。ユーザ機器についてのｋ番目のサブフレーム中で構成された利用可能なＥＣＣＥの総数ＮＥＣＣＥ，ｋは３２であり（この場合、これらの利用可能なＥＣＣＥのシーケンス番号は０，１，．．．，３１とすることができる）、Ｙｋは１であり、Ｌ＝１，２，４，８であり、これらのアグリゲーション・レベルＬに対応する
【００２９】
【数８】
2016507189.tif 000010
は、それぞれ４，４，２，２である。次いで、式１において導出できる各アグリゲーション・レベルにおけるＥＣＣＥの候補の位置は、以下のように式１において導出することができる。
【００３０】
Ｌ＝１では、ＥＣＣＥの候補の位置は｛１｝、｛９｝、｛１７｝、｛２５｝として導出することができる。
【００３１】
特に、Ｌ＝１の状況では、ｉ＝０である。また、
【００３２】
【数９】
2016507189.tif 000011
なので、ｍは０，１，２，３の値をとる。よって、ＮＥＣＣＥ，ｋ＝３２、Ｙｋ＝１、Ｌ＝１、
【００３３】
【数１０】
2016507189.tif 000012
、およびｍ＝０が式１に代入され、候補の位置は｛１｝として導出することができる。すなわち、候補は、割り振られたＥＣＣＥのうち、１の番号が付いたＥＣＣＥ中に位置付けられる。次に、ＮＥＣＣＥ，ｋ＝３２、Ｙｋ＝１、Ｌ＝１、
【００３４】
【数１１】
2016507189.tif 000013
、およびｍ＝１が式１に代入され、候補の位置は｛９｝として導出することができる。すなわち、候補は、割り振られたＥＣＣＥのうち、９の番号が付いたＥＣＣＥ中に位置付けられる。これが繰り返されて、他の２つの候補の位置が｛１７｝、｛２５｝として導出される。すなわち、候補は、割り振られたＥＣＣＥのうち、１７および２５の番号が付いたＥＣＣＥ中に位置付けられる。
【００３５】
Ｌ＝２の場合、ＥＣＣＥの候補の位置は｛２，３｝、｛１０，１１｝、｛１８，１９｝、｛２６，２７｝として導出される。すなわち、候補は、割り振られたＥＣＣＥのうち、２、３；１０、１１；１８、１９；２６、２７の番号が付いたＥＣＣＥ中に位置付けられる。
【００３６】
特に、Ｌ＝２の状況では、ｉ＝０，１である。また、
【００３７】
【数１２】
2016507189.tif 000014
なので、ｍは０，１，２，３の値をとる。よって、ＮＥＣＣＥ，ｋ＝３２、Ｙｋ＝１、Ｌ＝１、
【００３８】
【数１３】
2016507189.tif 000015
ｍ＝０、およびｉ＝０が式１に代入され、候補の位置は｛２｝として導出することができる。次に、ＮＥＣＣＥ，ｋ＝３２、Ｙｋ＝１、Ｌ＝１、
【００３９】
【数１４】
2016507189.tif 000016
、ｍ＝０、およびｉ＝１（すなわち、ｉは１に変更され、他のパラメータの値は変更されないままとする）が式１に代入され、候補の位置は｛３｝として導出することができる。よって、ｍ＝０による候補の位置は｛２，３｝として導出される。次に、ｍの値が変更され、すなわちｍがそれぞれ１，２，３に変更され、最終的に、それぞれのｍの値による他の候補の位置も同様に｛１０，１１｝、｛１８，１９｝、｛２６，２７｝として導出することができる。この場合、１対の括弧の中の位置の数はアグリゲーション・レベルを反映し、アグリゲーション・レベルはここでは２である。
【００４０】
Ｌ＝４では、ｉは０，１，２，３の値をとり、
【００４１】
【数１５】
2016507189.tif 000017
により、ｍは０および１の値をとる。よって、ＥＣＣＥの候補の位置は、同様に｛４，５，６，７｝、｛２０，２１，２２，２３｝として導出することができる。
【００４２】
Ｌ＝８では、ｉは０，１，２，３，．．．，７の値をとり、
【００４３】
【数１６】
2016507189.tif 000018
により、ｍは０および１の値をとる。よって、ＥＣＣＥの候補の位置は、同様に｛８，９，１０，１１，１２，１３，１４，１５｝、｛２４，２５，２６，２７，２８，２９，３０，３１｝として導出することができる。
【００４４】
前述の導出から明らかなものとすることができるように、全ての導出された候補のＥＣＣＥは、割り振られた物理リソース・ブロック（ＰＲＢ）対において一様に分散させることができる。
【００４５】
次いで、「発明の背景」における、キャリア・インジケータｎＣＩが導入される式３を検討するが、式１と比較して、式３では、元のｍが
【００４６】
【数１７】
2016507189.tif 000019
で置き換えられている。ここでｎＣＩは０，１，．．．，ＮＣＩでありｎＣＩは０および１なので、ここでは、同時にスケジューリングできるキャリアの総数ＮＣＩが２であると仮定する。式３における他のパラメータの値は、式１におけるそれぞれのパラメータの値と同一である。
【００４７】
ｎＣＩがそれぞれ０および１に等しいものとして、式３において導出が実施されることになり（具体的な導出プロセスは、上記の式１における導出プロセスと同様であり、その詳細な記述はここでは省略する）、ｎＣＩが０および１に等しい場合の２つの状況で、ＥＣＣＥの候補の位置が同じであることが以下のように導き出される。
【００４８】
Ｌ＝１の場合、ＥＣＣＥの候補の位置は｛１｝、｛９｝、｛１７｝、｛２５｝として導出することができる。
【００４９】
Ｌ＝２の場合、ＥＣＣＥの候補の位置は｛２，３｝、｛１０，１１｝、｛１８，１９｝、｛２６，２７｝として導出することができる。
【００５０】
Ｌ＝３の場合、ＥＣＣＥの候補の位置は｛４，５，６，７｝、｛２０，２１，２２，２３｝として導出することができる。
【００５１】
Ｌ＝４の場合、ＥＣＣＥの候補の位置は｛８，９，１０，１１，１２，１３，１４，１５｝、｛２４，２５，２６，２７，２８，２９，３０，３１｝として導出することができる。
【００５２】
このように、「発明の背景」の式３における解決法を用いると、クロス・キャリア・スケジューリングの状況で、データを搬送する異なる複数のキャリアに対応する制御情報によって占められるＥＣＣＥが相互と重なることになる。よって、データを搬送する異なる複数のキャリアに対して、異なる複数の候補ＥＣＣＥの位置を区別することができず、したがって、結果として衝突が生じる。
【００５３】
本発明の解決法について、図面を参照しながら以下に詳細に述べる。
【００５４】
図１に、本発明の特定の実施形態による方法のフローチャートを示す。ステップＳ１０１で、同時にスケジューリングできるキャリアの総数ＮＣＩおよびキャリア・インジケータｎＣＩに少なくとも従って、各アグリゲーション・レベルにおける探索空間の候補間の距離が決定される。この場合、キャリア・インジケータｎＣＩは、同時にスケジューリングできるＮＣＩ個のキャリアのうちのそれぞれのキャリアを示す。特に、例えば、この距離は下式において決定することができる。
【００５５】
【数１８】
2016507189.tif 000020
【００５６】
上式で、Ｌはアグリゲーション・レベルを表し、ＰＬは、Ｌ番目のアグリゲーション・レベルにおける候補間の距離を表し、ＮＥＣＣＥ，ｋは、ユーザ機器についてのｋ番目のサブフレーム中で構成された利用可能なＥＣＣＥの総数を表し、
【００５７】
【数１９】
2016507189.tif 000021
は、Ｌ番目のアグリゲーション・レベルにおける探索空間の候補の総数を表し、
【００５８】
【数２０】
2016507189.tif 000022
は、
【００５９】
【数２１】
2016507189.tif 000023
個の候補間のシーケンス番号を表す。
【００６０】
次にステップＳ１０２で、決定された距離に少なくとも従って、割り振られたＥＣＣＥ中での、各アグリゲーション・レベルにおける探索空間の候補の位置が決定される。特に、例えば、各アグリゲーション・レベルにおける探索空間の候補の位置は、下式における探索空間として決定される。
【００６１】
【数２２】
2016507189.tif 000024
【００６２】
上式で、
【００６３】
【数２３】
2016507189.tif 000025
であり、
【００６４】
【数２４】
2016507189.tif 000026
は、Ｌ番目のアグリゲーション・レベルにおける探索空間を表し、Ｙｋは、フレームｋとユーザ機器のＲＮＴＩとに基づくハッシュ関数を表し、ｉ＝０，１，２．．．Ｌ−１は、各アグリゲーション・レベルにおけるＥＣＣＥのシーケンス番号を表す。
【００６５】
式３における上記のそれぞれのパラメータをやはり使用して、式６によって以下の導出が実施されることになる。すなわち、ユーザ機器についてのｋ番目のサブフレーム中で構成された利用可能なＥＣＣＥの総数ＮＥＣＣＥ，ｋは３２であり、Ｙｋは１であり、Ｌ＝１，２，４，８であり、これらのアグリゲーション・レベルＬに対応する
【００６６】
【数２５】
2016507189.tif 000027
はそれぞれ４，４，２，２であり、ＮＣＩは２であり、ｎＣＩは０および１である。
【００６７】
第１に、ｎＣＩが０に等しい状況では、以下のとおりである。
【００６８】
Ｌ＝１のとき、ＥＣＣＥの候補の位置は｛１｝、｛９｝、｛１７｝、｛２５｝として導出することができる。すなわち、候補は、割り振られたＥＣＣＥのうち、１、９、１７、および２５の番号が付いたＥＣＣＥ中に位置付けられる。
【００６９】
特に、Ｌ＝１の状況では、ｉ＝０である。
【００７０】
【数２６】
2016507189.tif 000028
なので、ｍは０，１，２，３の値をとる。よって、ＮＥＣＣＥ，ｋ＝３２（この場合、これらの利用可能なＥＣＣＥのシーケンス番号は０，１，．．．，３１とすることができる）、Ｙｋ＝１、Ｌ＝１、
【００７１】
【数２７】
2016507189.tif 000029
、ｍ＝０、およびＮＣＩ＝２が式６に代入され、候補の位置は｛１｝として導出することができる。次に、ＮＥＣＣＥ，ｋ＝３２、Ｙｋ＝１、Ｌ＝１、
【００７２】
【数２８】
2016507189.tif 000030
、ｍ＝１、およびＮＣＩ＝２が式６に代入され、候補の位置は｛９｝として導出することができる。同様に、他のパラメータは変更されないままでｍ＝２および３が式６に代入されて、他の２つのＥＣＣＥの候補の位置が｛１７｝、｛２５｝として導出される。
【００７３】
Ｌ＝２のとき、ＥＣＣＥの候補の位置は｛２，３｝、｛１０，１１｝、｛１８，１９｝、｛２６，２７｝として導出することができる。すなわち、候補は、割り振られたＥＣＣＥのうち、２、３；１０、１１；１８、１９；２６、２７の番号が付いたＥＣＣＥ中に位置付けられる。
【００７４】
特に、Ｌ＝２の状況では、ｉ＝０，１である。また、
【００７５】
【数２９】
2016507189.tif 000031
なので、ｍは０，１，２，３の値をとる。よって、ＮＥＣＣＥ，ｋ＝３２、Ｙｋ＝１、Ｌ＝１、
【００７６】
【数３０】
2016507189.tif 000032
、ｍ＝０、およびｉ＝０が式６に代入され、候補の位置は｛２｝として導出することができる。次に、ＮＥＣＣＥ，ｋ＝３２、Ｙｋ＝１、Ｌ＝１、
【００７７】
【数３１】
2016507189.tif 000033
、ｍ＝０、およびｉ＝１が式６に代入され（すなわち、ｉは１に変更され、他のパラメータの値は変更されないままとする）、候補の位置は｛３｝として導出することができる。よって、ｍ＝０による候補の位置は｛２，３｝として導出される。次に、ｍの値が変更され、すなわちｍがそれぞれ１，２，３に変更され、最終的に、それぞれのｍの値による他の候補の位置も同様に｛１０，１１｝、｛１８，１９｝、｛２６，２７｝として導出することができる。
【００７８】
Ｌ＝４の場合、ｉは０，１，２，３の値をとり、
【００７９】
【数３２】
2016507189.tif 000034
により、ｍは０および１の値をとる。よって、ＥＣＣＥの候補の位置は、同様に｛４，５，６，７｝、｛２０，２１，２２，２３｝として導出することができる。すなわち、候補は、割り振られたＥＣＣＥのうち、４、５、６、７；２０、２１、２２、２３の番号が付いたＥＣＣＥ中に位置付けられる。
【００８０】
Ｌ＝８の場合、ｉは０，１，２，３，．．．，７の値をとり、
【００８１】
【数３３】
2016507189.tif 000035
により、ｍは０および１の値をとる。よって、ＥＣＣＥの候補の位置は、同様に｛８，９，１０，１１，１２，１３，１４，１５｝、｛２４，２５，２６，２７，２８，２９，３０，３１｝として導出することができる。すなわち、候補は、割り振られたＥＣＣＥのうち、８、９、１０、１１、１２、１３、１４、１５；２４、２５、２６、２７、２８、２９、３０、３１の番号が付いたＥＣＣＥ中に位置付けられる。
【００８２】
第２に、ｎＣＩが１に等しい状況では、以下のとおりである。
【００８３】
以下のように、同様の導出が式６において実施されることになる。
【００８４】
Ｌ＝１のとき、ＥＣＣＥの候補の位置は｛５｝、｛１３｝、｛２１｝、｛２９｝である。
【００８５】
Ｌ＝２のとき、ＥＣＣＥの候補の位置は｛６，７｝、｛１４，１５｝、｛２２，２３｝、｛３０，３１｝である。
【００８６】
Ｌ＝４のとき、ＥＣＣＥの候補の位置は｛１２，１３，１４，１５｝、｛２８，２９，３０，３１｝である。
【００８７】
Ｌ＝８のとき、ＥＣＣＥの候補の位置は｛１６，１７，１８，１９，２０，２１，２２，２３｝、｛０，１，２，３，４，５，６，７｝である。
【００８８】
上記の導出結果から明らかなものとすることができるように、使用されるＥＣＣＥの候補の位置は、異なるキャリア・インジケータｎＣＩに伴って変動することになる。このことは、データを搬送する異なる複数のキャリアについての制御情報が同じキャリアを介して搬送される（すなわちクロス・キャリア・スケジューリングが実施される）場合であっても、異なる複数のキャリアを介して搬送されるデータに対応する制御情報は、ＥＣＣＥにわたって（すなわち、実際に使用される周波数帯域リソースにわたって）間隔を空けられることが可能であることを意味する。よって、同じユーザ機器についてのＥＰＤＣＣＨの、異なるクロス・キャリア・スケジューリングとの衝突を緩和することができる。この実施形態ではまた、それぞれのアグリゲーション・レベルにおける全ての導出された候補ＥＣＣＥを、割り振られた物理リソース・ブロック（ＰＲＢ）対において一様に分散させることができる。
【００８９】
次に、本発明の別の実施形態について、図２を参照しながら述べる。図２に示すように、ステップＳ２０１で、各アグリゲーション・レベルにおける探索空間の候補間の距離が決定される。例えば、この距離は、下式において決定することができる。
【００９０】
【数３４】
2016507189.tif 000036
すなわち、各アグリゲーション・レベルにおける探索空間の候補間の距離は、ここでもはやり、式１の対応するセクションにおいて決定される。
【００９１】
次にステップＳ２０２で、キャリア・インジケータｎＣＩに基づくバイアス・パラメータを使用して、決定された距離が修正される。この場合、ｎＣＩは、同時にスケジューリングできるＮＣＩ個のキャリアのうちのそれぞれのキャリアを示し、ＮＣＩは、同時にスケジューリングできるキャリアの総数を表す。特に、バイアス・パラメータはキャリア・インジケータｎＣＩであり、決定された距離は、決定された距離にキャリア・インジケータｎＣＩを加えることによって修正することができる。別法としてまたは追加で、決定された距離は、アグリゲーション・レベルＬの整数倍すなわちｋ＊Ｌとの組合せで修正することもできる。
【００９２】
ステップＳ２０３で、修正された距離に少なくとも従って、割り振られたＥＣＣＥ中での、各アグリゲーション・レベルにおける探索空間の候補の位置が決定される。特に、各アグリゲーション・レベルにおける探索空間の候補の位置、すなわち探索空間は、下式において決定することができる。
【００９３】
【数３５】
2016507189.tif 000037
【００９４】
上式で、
【００９５】
【数３６】
2016507189.tif 000038
であり、
【００９６】
【数３７】
2016507189.tif 000039
は、Ｌ番目のアグリゲーション・レベルにおける探索空間を表し、Ｙｋは、フレームｋとユーザ機器のＲＮＴＩとに基づくハッシュ関数を表し、ｉ＝０，１，２．．．Ｌ−１は、各アグリゲーション・レベルにおけるＥＣＣＥのシーケンス番号を表す。
【００９７】
式３および式６における上記のそれぞれのパラメータをやはり使用して、式８において以下の導出が実施されることになる。すなわち、ユーザ機器についてのｋ番目のサブフレーム中で構成された利用可能なＥＣＣＥの総数ＮＥＣＣＥ，ｋは３２であり、Ｙｋは１であり、Ｌ＝１，２，４，８であり、これらのアグリゲーション・レベルＬに対応する
【００９８】
【数３８】
2016507189.tif 000040
はそれぞれ４，４，２，２であり、ＮＣＩは２であり、ｎＣＩは０および１である。
【００９９】
第１に、ｎＣＩが０に等しい状況では、以下のとおりである。
【０１００】
以下のように、上記の式６と同様の導出を式８において実施することができる。
【０１０１】
Ｌ＝１のとき、候補の位置は｛１｝、｛９｝、｛１７｝、｛２５｝である。
【０１０２】
Ｌ＝２のとき、候補の位置は｛２，３｝、｛１０，１１｝、｛１８，１９｝、｛２６，２７｝である。
【０１０３】
Ｌ＝４のとき、候補の位置は｛４，５，６，７｝、｛２０，２１，２２，２３｝である。
【０１０４】
Ｌ＝８のとき、候補の位置は｛８，９，１０，１１，１２，１３，１４，１５｝、｛２４，２５，２６，２７，２８，２９，３０，３１｝である。
【０１０５】
また、ｎＣＩが１に等しい状況では、以下のとおりである。
【０１０６】
Ｌ＝１のとき、候補の位置は｛２｝、｛１０｝、｛１８｝、｛２６｝である。
【０１０７】
Ｌ＝２のとき、候補の位置は｛４，５｝、｛１２，１３｝、｛２０，２１｝、｛２８，２９｝である。
【０１０８】
Ｌ＝４のとき、候補の位置は｛８，９，１０，１１｝、｛２４，２５，２６，２７｝である。
【０１０９】
Ｌ＝８のとき、候補の位置は｛１６，１７，１８，１９，２０，２１，２２，２３｝、｛０，１，２，３，４，５，６，７｝である。
【０１１０】
同じく、上記の導出結果から明らかなものとすることができるように、前の実施形態と同様にこの実施形態でも、同じユーザ機器についてのＥＰＤＣＣＨの、異なるクロス・キャリア・スケジューリングとの衝突を緩和することができ、それぞれのアグリゲーション・レベルにおける全ての導出された候補ＥＣＣＥを、割り振られた物理リソース・ブロック（ＰＲＢ）対において一様に分散させることができる。
【０１１１】
さらに、上記の２つの実施形態は、基地局側およびユーザ機器側で実践することができる。第１の実施形態では、基地局は、同時にスケジューリングできるキャリアの総数ＮＣＩとキャリア・インジケータｎＣＩとの両方をユーザ機器に通知する必要があり、基地局とユーザ機器とは、同じアルゴリズムに基づいて、局所化送信の下でのＥＣＣＥユーザ機器特有探索空間を決定する。第２の実施形態では、基地局はキャリア・インジケータｎＣＩのみをユーザ機器に通知すればよく、次いで基地局とユーザ機器とは、同じアルゴリズムに基づいて、局所化送信の下でのＥＣＣＥユーザ機器特有探索空間を決定する。
【０１１２】
当業者にとっては、本発明は明らかに、上記の例示的な実施形態の詳細に限定されず、本発明の主旨または本質を逸脱することなく他の特定の形で実践されてもよい。言い換えれば、当業者なら、本発明の実施形態に基づいて、同様の効果を得るためにそれぞれのパラメータの位置および導出を変更することができる。
【０１１３】
よって、これらの実施形態は、決して限定ではなく例に過ぎず、本発明の範囲は、前述の記述によってではなく添付の特許請求の範囲によって定義されるものとする。したがって、特許請求の範囲の主旨を逸脱しない全ての変形は、本発明の範囲に含まれるものとする。請求項におけるどんな参照番号も、当該の請求項を限定すると解釈されるべきではない。さらに、明らかに、用語「含む、備える（ｃｏｍｐｒｉｓｅ）」は、他の請求項または記述に列挙された別の要素またはステップを除外せず、単数は複数を除外しない。システム請求項に記載された複数の要素またはデバイスが、別法として、同じ要素またはデバイスとしてハードウェアまたはソフトウェアにおいて具体化される可能性もある。用語「第１」、「第２」等は、名称を示すに過ぎないものとし、どんな特定の順序を示唆するものともしない。
【図１】
2016507189.tif 000053
【図２】
2016507189.tif 000054
【国際調査報告】
2016507189.tif 000055
2016507189.tif 000056